(57)【特許請求の範囲】
【請求項１】
挿嵌面を有するプラグ本体と、
前記挿嵌面の中部に形成されるｎ（ｎ≧２）個の平行なフランジと、
を備え、
前記ｎ個の平行なフランジのうち、隣接する２つのフランジの間に１つの凹溝が形成され、前記凹溝の３つの溝表面に凹溝ピンアレーが形成され、
前記ｎ個の平行なフランジの両側にそれぞれ左側ピンアレーと右側ピンアレーとが形成され、前記左側ピンアレーと前記右側ピンアレーとはいずれも前記挿嵌面に結合され、
前記凹溝ピンアレーは、前記左側ピンアレー及び前記右側ピンアレーに接続されないことを特徴とするコネクタープラグ。
【請求項２】
前記凹溝ピンアレーは、前記凹溝に沿って規則的に配列されたｍ（ｍは自然数である）個の凹溝ピンを有することを特徴とする請求項１に記載のコネクタープラグ。
【請求項３】
前記左側ピンアレーは、前記凹溝ピンと対応して設けられるｍ個の左側ピンを有し、各左側ピンは互いに平行で且つ前記フランジに垂直であり、
前記右側ピンアレーは、前記凹溝ピンと対応して設けられるｍ個の右側ピンを有し、各右側ピンは互いに平行で且つ前記フランジに垂直であることを特徴とする請求項２に記載のコネクタープラグ。
【請求項４】
前記凹溝の溝底面は、前記挿嵌面と同一な平面に位置することを特徴とする請求項１ないし３のいずれか一つに記載のコネクタープラグ。
【請求項５】
挿嵌面を有するソケット本体と、
前記挿嵌面の中部に形成されるｎ（ｎ≧２）個の平行な凹溝と、
を備え、
前記ｎ個の平行な凹溝のうち、隣接する２つの凹溝の間に１つのフランジが形成され、前記フランジの３つのフランジ表面にフランジピンアレーが形成され、
前記ｎ個の平行な凹溝の両側にそれぞれ左側ピンアレーと右側ピンアレーとが形成され、前記左側ピンアレーと前記右側ピンアレーとはいずれも前記挿嵌面に結合され、
前記フランジピンアレーは、前記左側ピンアレー及び前記右側ピンアレーに接続されないことを特徴とするコネクターソケット。
【請求項６】
前記フランジピンアレーは、前記フランジに沿って規則的に配列されたｍ（ｍは自然数である）個のフランジピンを有することを特徴とする請求項５に記載のコネクターソケット。
【請求項７】
前記左側ピンアレーは、前記フランジピンと対応して設けられるｍ個の左側ピンを有し、各左側ピンは互いに平行で且つ前記凹溝に垂直であり、
前記右側ピンアレーは、前記フランジピンと対応して設けられるｍ個の右側ピンを有し、各右側ピンは互いに平行で且つ前記凹溝に垂直であることを特徴とする請求項６に記載のコネクターソケット。
【請求項８】
前記フランジの頂面は、前記挿嵌面と同一な平面に位置することを特徴とする請求項５ないし７のいずれか一つに記載のコネクターソケット。
【請求項９】
請求項１ないし４のいずれか一つに記載のコネクタープラグと、
請求項５ないし８のいずれか一つに記載のコネクターソケットと、
を備えることを特徴とするコネクター。
【請求項１０】
前記コネクタープラグにおけるｎ個のフランジが、前記コネクターソケットにおけるｎ個の凹溝に挿嵌され、
前記コネクタープラグにおける挿嵌面と、前記コネクターソケットにおける挿嵌面とを互いに接触させることを特徴とする請求項９に記載のコネクター。
【発明の詳細な説明】
【技術分野】
【０００１】
本願は、コネクターの技術分野に関し、特にコネクタープラグ、コネクターソケット及びコネクターに関する。
【背景技術】
【０００２】
一般的に、コネクターは、プラグとソケットからなり、プラグとソケットとの挿嵌/分離によって電気回路の接続/遮断が実現される。
【０００３】
関連技術において、プラグの中部に１つのフランジが形成され、フランジの両側にそれぞれ１列のピン（Pin）が形成され、即ち２列のピンが形成される。ソケットの中部に１つの凹溝が形成され、凹溝の両側にそれぞれ１列のピンが形成され、即ち２列のピンが形成される。プラグがソケットに挿嵌されたとき、フランジが凹溝に挿入され、プラグにおける２列のピンとソケットにおける２列のピンとが対応して接触する。
【発明の概要】
【発明が解決しようとする課題】
【０００４】
出願人は、本願を実現するとき、関連技術に少なくとも以下の欠陥が存在することを見出した。すなわち、上記のコネクターにおいて、ピンの個数を増加しようとする際に、コネクターの長さを増加させる必要があるので、コネクターの体積が大きくなってしまい、電子機器における部品のコンパクト化を実現できない。
【課題を解決するための手段】
【０００５】
ピンの個数を増加しようとする際に、コネクターの長さが増加され、コネクターの体積が大きくなってしまい、電子機器の部品のコンパクト化を実現できない関連技術のコネクターにおける問題点を解決するために、本発明の実施例は、コネクタープラグ、コネクターソケット及びコネクターを提供する。その技術方案は以下になる。
【０００６】
本発明の実施形態の第１形態は、コネクタープラグを提供し、当該コネクタープラグは、挿嵌面を有するプラグ本体と、前記挿嵌面の中部に形成されるｎ（ｎ≧２）個の平行なフランジと、を備え、前記ｎ個の平行なフランジのうち、隣接する２つのフランジの間に１つの凹溝が形成され、前記凹溝の溝表面に凹溝ピンアレーが形成され、前記ｎ個の平行なフランジの両側にそれぞれ左側ピンアレーと右側ピンアレーとが形成され、前記左側ピンアレーと前記右側ピンアレーとはいずれも前記挿嵌面に結合される。
【０００７】
また、凹溝ピンアレーは、凹溝に沿って規則的に配列されたｍ（ｍは自然数である）個の凹溝ピンを有する。
【０００８】
また、左側ピンアレーは、凹溝ピンと対応して設けられるｍ個の左側ピンを有し、各左側ピンは互いに平行で且つ当該フランジに垂直であり、右側ピンアレーは、凹溝ピンと対応して設けられるｍ個の右側ピンを有し、各右側ピンは互いに平行で且つ当該フランジに垂直である。
【０００９】
また、凹溝の溝底面は、挿嵌面と同じな平面に位置する。
【００１０】
本発明の実施形態の第２形態は、コネクターソケットを提供し、当該コネクターソケットは、挿嵌面を有するソケット本体と、前記挿嵌面の中部に形成されるｎ（ｎ≧２）個の平行な凹溝と、を備え、前記ｎ個の平行な凹溝のうち、隣接する２つの凹溝の間に１つのフランジが形成され、前記フランジのフランジ表面にフランジピンアレーが形成され、前記ｎ個の平行な凹溝の両側にそれぞれ左側ピンアレーと右側ピンアレーとが形成され、前記左側ピンアレーと前記右側ピンアレーとはいずれも前記挿嵌面に結合される。
【００１１】
また、フランジピンアレーは、フランジに沿って規則的に配列されたｍ（ｍは自然数である）個のフランジピンを有する。
【００１２】
また、左側ピンアレーは、フランジピンと対応して設けられるｍ個の左側ピンを有し、各左側ピンは互いに平行で且つ当該凹溝に垂直であり、右側ピンアレーは、フランジピンと対応して設けられるｍ個の右側ピンを有し、各右側ピンは互いに平行で且つ当該凹溝に垂直である。
【００１３】
また、フランジの頂面は、当該挿嵌面と同一な平面に位置する。
【００１４】
本発明の実施形態の第３形態は、コネクターを提供し、当該コネクターは、上記第１形態が提供するコネクタープラグと、上記第２形態が提供するコネクターソケットとを備える。
【００１５】
また、コネクタープラグにおけるｎ個のフランジは、コネクターソケットにおけるｎ個の凹溝に挿嵌され、コネクタープラグにおける挿嵌面と、コネクターソケットにおける挿嵌面とが互いに接触する。
【００１６】
本発明の実施例の技術方案は、以下の有益な効果を有する。
【００１７】
コネクタープラグの中部に新たに設けられたｎ個の平行なフランジと、ｎ個の平行なフランジの間の凹溝ピンと、コネクターソケットの中部に新たに設けられたｎ個の平行な凹溝と、ｎ個の平行な凹溝の間のフランジピンとを利用して、コネクタープラグにおけるｎ個のフランジをコネクターソケットにおけるｎ個の凹溝に挿嵌させ、コネクタープラグにおける挿嵌面とコネクターソケットにおける挿嵌面とを互いに接触させることによって、コネクターにおいてピンの数量を増加しようとする場合に、コネクターの長さを増加させる必要があるので、コネクターの体積が大きくなってしまい、電子機器における部品のコンパクト化を実現できない問題点を解決でき、コネクターの長さを増加せずに、ピンの数量を増加させるとともに、コネクターの信頼性を向上させる効果を奏する。
【００１８】
以上の一般な説明と後の詳細な説明は例示的なものだけであり、本発明を限定しないと理解すべきである。
【図面の簡単な説明】
【００１９】
以下の図面は、明細書の一部として明細書全体を構成することにより、本発明に合致する実施例を例示するとともに、本発明の原理を解釈するためのものである。
【００２０】
【図１】例示的な一実施例におけるコネクタープラグの構成の模式図である。
【図２】例示的な一実施例におけるコネクターソケットの構成の模式図である。
【図３】例示的な一実施例におけるコネクターの構成の断面模式図である。
【図４】例示的な他の一実施例におけるコネクターの構成の断面模式図である。
【００２１】
以上の図面には、本発明の実施例を例示しているが、そのさらに具体的な内容については後述する。これらの図面及び記載内容は、本発明の趣旨の範囲を限定するためのものではなく、特定の実施例を参照して、当業者に本発明のコンセプトを理解させるためのものである。
【発明を実施するための形態】
【００２２】
以下、図面に示される例示的な実施例に対して詳しく説明する。以下の説明は、図面に関するときに、言及がない限り、各図面における同一の数字は、同一又は類似の要素を表す。以下の例示的な実施例において説明する実施形態は、本発明と一致する全ての実施形態ではない。逆に、それらは、特許請求の範囲に記載の本発明のある形態と一致する装置及び方法の例だけである。
【００２３】
図１は、例示的な一実施例におけるコネクタープラグの構成の模式図である。当該コネクタープラグは、挿嵌面を有するプラグ本体１００と、当該挿嵌面の中部に形成される２つの平行なフランジ１１０とを備え、２つの平行なフランジの間に１つの凹溝１３０が形成され、当該凹溝の溝表面に凹溝ピンアレー１５０が形成される。
【００２４】
２つの平行なフランジの両側にそれぞれ左側ピンアレー１７０と右側ピンアレー１９０が形成され、左側ピンアレー１７０と右側ピンアレー１９０とがいずれも当該挿嵌面に結合される。
【００２５】
以上により、本実施例のコネクタープラグは、挿嵌面の中部のフランジが２つの平行なフランジに分割され、隣接する２つのフランジの間に形成された１つの凹溝に、凹溝ピンアレーが形成されることによって、コネクターにおいて、ピンの数量を増加しようとする場合に、コネクターの長さを増加する必要があるので、コネクターの体積が大きくなってしまい、電子機器における部品のコンパクト化を実現できない問題点を解決でき、コネクターの長さを増加せずに、凹溝の溝表面に凹溝ピンアレーを増加させることによって、ピンの数量を増加させるとともに、コネクターの信頼性を向上させる効果を奏する。
【００２６】
図２は、例示的な一実施例におけるコネクターソケットの構成の模式図である。当該コネクターソケットは、挿嵌面を有するソケット本体２００と、当該挿嵌面の中部に形成される２つの平行な凹溝２１０とを備え、２つの平行な凹溝の間に１つのフランジ２３０が形成され、当該フランジのフランジ表面にフランジピンアレー２５０が形成される。
【００２７】
２つの平行な凹溝の両側にそれぞれ左側ピンアレー２７０と右側ピンアレー２９０が形成され、左側ピンアレー２７０と右側ピンアレー２９０とがいずれも当該挿嵌面に結合される。
【００２８】
以上のことにより、本実施例のコネクターソケットは、挿嵌面の中部の凹溝が２つの平行な凹溝に分割され、且つ隣接する２つの凹溝の間に形成された１つのフランジに、フランジピンアレーが形成されることによって、コネクターにおいてピンの数量を増加しようとする場合に、コネクターの長さを増加させる必要があるので、コネクターの体積が大きくなってしまい、電子機器における部品のコンパクト化を実現できない問題点を解決でき、コネクターの長さを増加せずに、フランジのフランジ表面にフランジピンアレーを増加させることによって、ピンの数量を増加させるとともに、コネクターの信頼性を向上させる効果を奏する。
【００２９】
図３は、例示的な一実施例におけるコネクターの断面の構成の模式図である。当該コネクターは、コネクタープラグ１００と、コネクターソケット２００とを備える。
【００３０】
また、当該コネクタープラグ１００は、挿嵌面を有するプラグ本体と、挿嵌面の中部に形成されるｎ(ｎ≧２)個の平行なフランジとを備え、本実施例において、ｎ＝２である。即ち、当該コネクタープラグは、当該挿嵌面の中部に形成された２つの平行なフランジ１１０を有し、２つの平行なフランジの間に１つの凹溝１３０が形成され、当該凹溝１３０の溝表面に凹溝ピンアレー１５０が形成される。
【００３１】
図１を参照し、当該凹溝ピンアレー１５０は、凹溝１３０に沿って規則的に配列されたｍ（ｍは自然数である）個の凹溝ピンを有する。凹溝１３０は、溝左表面、溝右表面、溝下表面という３つの溝表面を有するとき、良好な電気的な接触性を獲得するように、各凹溝ピンが当該３つの溝表面を覆う。
【００３２】
２つの平行なフランジ１１０の両側にそれぞれ左側ピンアレー１７０及び右側ピンアレー１９０が形成され、左側ピンアレー１７０と右側ピンアレー１９０がいずれも当該挿嵌面に結合される。
【００３３】
左側ピンアレー１７０は、凹溝ピンと対応して設けられるｍ個の左側ピンを有し、各左側ピンは互いに平行で且つフランジ１１０に垂直である。
【００３４】
右側ピンアレー１９０は、凹溝ピンと対応して設けられるｍ個の右側ピンを有し、各右側ピンは互いに平行で且つフランジ１１０に垂直である。
【００３５】
また、凹溝１３０の溝底面は、挿嵌面と同一な平面に位置する。
【００３６】
また、当該コネクターソケット２００は、挿嵌面を有するソケット本体と、挿嵌面の中部に形成されるｎ(ｎ≧２)個の平行な凹溝とを備え、本実施例において、ｎ＝２である。即ち、当該コネクターソケットは、当該挿嵌面の中部に形成された２つの平行な凹溝２１０を有し、２つの平行な凹溝２１０の間に１つのフランジ２３０が形成され、当該フランジ２３０のフランジ表面にフランジピンアレー２５０が形成される。フランジ２３０は、フランジ左表面、フランジ右表面、フランジ下表面という３つのフランジ表面を有するとき、良好な電気的な接触性を獲得するように、各フランジピンが当該３つのフランジ表面を覆う。
【００３７】
２つの平行な凹溝２１０の両側にそれぞれ左側ピンアレー２７０と右側ピンアレー２９０とが形成され、左側ピンアレー２７０と右側ピンアレー２９０がいずれも当該挿嵌面に結合される。
【００３８】
図２を参照し、左側ピンアレー２７０は、フランジピンと対応して設けられるｍ個の左側ピンを有し、各左側ピンは互いに平行で且つ凹溝２１０に垂直である。
【００３９】
右側ピンアレー２９０は、フランジピンと対応して設けられるｍ個の右側ピンを有し、各右側ピンは互いに平行で且つ凹溝２１０に垂直である。
【００４０】
また、フランジ２３０の頂面は、挿嵌面と同一な平面に位置する。
【００４１】
コネクタープラグ１００とコネクターソケット２００との挿嵌方式は以下になる。
【００４２】
当該コネクタープラグ１００におけるｎ個のフランジ１１０を当該コネクターソケット２００におけるｎ個の凹溝２１０に挿嵌させる。
【００４３】
本実施例において、コネクタープラグ１００は２つのフランジ１１０を有し、コネクターソケット２００は２つの凹溝２１０を有する。コネクタープラグ１００における２つのフランジ１１０をコネクターソケット２００における２つの凹溝２１０に挿嵌させる。
【００４４】
当該コネクタープラグ１００における挿嵌面と当該コネクターソケット２００における挿嵌面とを互いに接触させる。
【００４５】
このとき、コネクタープラグ１００の第１のフランジと第２のフランジとの間の凹溝におけるｍ個の凹溝ピンと、コネクターソケット２００の第１の凹溝と第２の凹溝と間のフランジにおけるｍ個のフランジピンとが対応して電気的に接続され、コネクタープラグ１００のｍ個の左側ピンとコネクターソケット２００のｍ個の左側ピンが対応して電気的に接続され、コネクタープラグ１００のｍ個の右側ピンとコネクターソケット２００のｍ個の右側ピンが対応して電気的に接続される。
【００４６】
以上のことにより、本実施例のコネクターは、コネクタープラグの中部に新たに設けられたｎ個の平行なフランジと、ｎ個の平行なフランジの間の凹溝ピンと、コネクターソケットの中部に新たに設けられたｎ個の平行な凹溝と、ｎ個の平行な凹溝の間のフランジピンとを利用して、コネクタープラグにおけるｎ個のフランジをコネクターソケットにおけるｎ個の凹溝に挿嵌させ、コネクタープラグにおける挿嵌面とコネクターソケットにおける挿嵌面とを互いに接触させることによって、コネクターにおいてピンの数量を増加しようとする場合に、コネクターの長さを増加させる必要があるので、コネクターの体積が大きくなってしまい、電子機器における部品のコンパクト化を実現できない問題点を解決でき、コネクターの長さを増加せずに、ピンの数量を増加させるとともに、コネクターの信頼性を向上させる効果を奏する。
【００４７】
本実施例のコネクターは、さらに、コネクタープラグの凹溝ピンアレーが凹溝に沿って規則的に配列されたｍ個の凹溝ピンを有し、コネクターソケットのフランジピンアレーがフランジに沿って規則的に配列されたｍ個のフランジピンを有することによって、ｍ個のピンを増加させ、即ち１列のピンを増加させる効果を奏する。
【００４８】
上記の実施例において、ｎ=２を例として説明したが、異なる実施例において、ｎが２より大きいことが可能である。このとき、コネクターにおいて、（ｎ−１）列のピンアレーが増加され、各ピンアレーがｍ個のピンを有する。以下の実施例において、ｎ＝３を例として説明する。
【００４９】
図４は、例示的な他の一実施例におけるコネクターの構成の断面模式図である。当該コネクターは、コネクタープラグ３００と、コネクターソケット４００とを備える。
【００５０】
また、当該コネクタープラグ３００は、挿嵌面を有するプラグ本体と、挿嵌面の中部に形成されるｎ(ｎ≧２)個の平行なフランジとを備え、本実施例において、ｎ＝３である。
【００５１】
即ち、本実施例において、当該コネクタープラグは、当該挿嵌面の中部に形成された３つの平行なフランジ３１０を有し、３つの平行なフランジにおける隣接する２つのフランジの間に１つの凹溝３３０が形成され、当該凹溝３３０の溝表面に凹溝ピンアレー３５０が形成される。当凹溝３３０は溝左表面、溝右表面、溝下表面という３つの溝表面を有するとき、良好な電気的な接触性を獲得するように、各凹溝ピンが当該３つの溝表面を覆う。
【００５２】
例えば、当該凹溝ピンアレー３５０は、凹溝に沿って規則的に配列されたｍ（ｍは自然数である）個の凹溝ピンを有する。
【００５３】
三つの平行なフランジ３１０の両側にそれぞれ左側ピンアレー３７０と右側ピンアレー３９０が形成され、左側ピンアレー３７０と右側ピンアレー３９０がいずれも当該挿嵌面に結合される。
【００５４】
実施例において、左側ピンアレー３７０は、凹溝ピンと対応して設けられるｍ個の左側ピンを有し、各左側ピンは互いに平行で且つフランジ３１０に垂直である。
【００５５】
右側ピンアレー３９０は、凹溝ピンと対応して設けられるｍ個の右側ピンを有し、各右側ピンは互いに平行で且つフランジ３１０に垂直である。
【００５６】
例えば、凹溝の溝底面は、挿嵌面と同一な平面に位置する。
【００５７】
また、当該コネクターソケット４００は、挿嵌面を有するソケット本体と、挿嵌面の中部に形成されるｎ（ｎ≧２）個の平行な凹溝とを備え、本実施例において、ｎ＝３である。即ち、当該コネクターソケットは、当該挿嵌面の中部に形成された３つの平行な凹溝４１０を有し、３つの平行な凹溝における隣接する２つの凹溝の間に１つのフランジ４３０が形成され、当該フランジ４３０のフランジ表面にフランジピンアレー４５０が形成される。フランジ４３０はフランジ左表面、フランジ右表面、フランジ下表面という３つの稜表面を有するとき、良好な電気的な接触性を獲得するように、各フランジピンが当該３つのフランジ表面を覆う。
【００５８】
３つの平行の凹溝の両側にそれぞれ左側ピンアレー４７０と右側ピンアレー４９０が形成され、左側ピンアレー４７０と右側ピンアレー４９０とがいずれも当該挿嵌面に結合される。
【００５９】
実施例において、左側ピンアレー４７０は、フランジピンと対応して設けられるｍ個の左側ピンを有し、各左側ピンは互いに平行で且つ凹溝４１０に垂直である。
【００６０】
右側ピンアレー４９０は、フランジピンと対応して設けられるｍ個の右側ピンを有し、各右側ピンは互いに平行で且つ凹溝４１０に垂直である。
【００６１】
実施例において、フランジ４３０の頂面は、挿嵌面と同一な平面に位置する。
【００６２】
コネクタープラグ３００とコネクターソケット４００との挿嵌方式は以下になる。
【００６３】
当該コネクタープラグ３００におけるｎ個のフランジ３１０を当該コネクターソケット４００におけるｎ個の凹溝４１０に挿嵌させる。
【００６４】
本実施例において、コネクタープラグ３００は３つのフランジを有し、コネクターソケット４００は３つの凹溝を有する。コネクタープラグ３００における３つのフランジをコネクターソケット４００における３つの凹溝に挿嵌させる。
【００６５】
当該コネクタープラグ３００における挿嵌面と当該コネクターソケット４００における挿嵌面とを互いに接触させる。
【００６６】
即ち、コネクタープラグ３００の第１のフランジと第２のフランジとの間の第１の凹溝におけるｍ個の凹溝ピンと、コネクターソケット４００の第１の凹溝と第２の凹溝との間の第１のフランジにおけるｍ個のフランジピンとが対応して電気的に接続される。
【００６７】
コネクタープラグ３００の第２のフランジと第３のフランジとの間の第２の凹溝におけるｍ個の凹溝ピンと、コネクターソケット４００の第２の凹溝と第３の凹溝との間の第２のフランジにおけるｍ個のフランジピンとが対応して電気的に接続される。
【００６８】
コネクタープラグ３００のｍ個の左側ピンとコネクターソケット４００のｍ個の左側ピンとが対応して電気的に接続され、コネクタープラグ３００のｍ個の右側ピンとコネクターソケット４００のｍ個の右側ピンとが対応して電気的に接続される。
【００６９】
本実施例のコネクターは、コネクタープラグの中部に新たに設けられたｎ個の平行なフランジと、ｎ個の平行なフランジの間の凹溝ピンと、コネクターソケットの中部に新たに設けられたｎ個の平行な凹溝と、ｎ個の平行な凹溝の間のフランジピンとを利用して、コネクタープラグにおけるｎ個のフランジをコネクターソケットにおけるｎ個の凹溝に挿嵌させ、コネクタープラグにおける挿嵌面とコネクターソケットにおける挿嵌面とを互いに接触させることによって、コネクターにおいてピンの数量を増加しようとする場合に、コネクターの長さを増加させる必要があるので、コネクターの体積が大きくなってしまい、電子機器における部品のコンパクト化を実現できない問題点を解決でき、コネクターの長さを増加せずに、ピンの数量を増加させるとともに、コネクターの信頼性を向上させる効果を奏する。
【００７０】
本実施例のコネクターは、コネクタープラグの凹溝ピンアレーが凹溝に沿って規則的に配列されたｍ個の凹溝ピンを有し、コネクターソケットのフランジピンアレーがフランジに沿って規則的に配列されたｍ個のフランジピンを有することによって、２ｍ個のピン、即ち２列のピンを増加する効果を奏する。
【００７１】
ｎがその他の数値の実施例は、当業者が上記の２つの実施例に基づいて想到できるものであるので、ここに説明しない。
【００７２】
当業者は、明細書を参照し本発明を実施すると、本発明の他の実施形態を容易に想到できる。本願発明は、本発明の任意な変更、用途或は適応的な変形を含む。これらの変更、用途或は適応的な変形は、本発明の汎用な原理に従い、本発明に公開されていない本技術分野における公知常識或は慣用技術手段を含む。明細書における実施例は、例示的なものであり、本発明の保護範囲と主旨が特許請求の範囲に示される。
【００７３】
本発明は、上記され、且つ図面に示す詳細な構成に限定して解釈されるべきではなく、その範囲を逸脱せずに各種の修正と変更を行うことができる。本発明の範囲は、添付の特許請求の範囲によってのみ限定される。
【００７４】
本願は、出願番号がＣＮ２０１４１０４８８１５２．０であって、出願日が２０１４年９月２２日である中国特許出願に基づき優先権を主張し、当該中国特許出願のすべての内容を本願に援用する。
【図１】
0006279091.tif 000002
【図２】
0006279091.tif 000003
【図３】
0006279091.tif 000004
【図４】
0006279091.tif 000005